【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
複数の項目を所定の順序で並べることによって一覧表示画面に一覧表示する表示手段と、
ユーザによる前記一覧表示画面のスクロール指示を受け付ける操作手段と、
前記操作手段によるスクロール指示に応じて、前記一覧表示画面をスクロールさせるスクロール制御手段と、を有し、
前記スクロール制御手段は、所定の方向へのスクロールにおいて、前記所定の順序で並べられた複数の項目の先頭および最後尾のいずれか一方の項目が、前記一覧表示画面の端部に表示された場合、前記先頭および最後尾のいずれか一方の項目の後に、他方の項目を前記一覧表示画面の端部に表示されるようにスクロールさせ、その後、当該他方の項目が前記一覧表示画面の端部に表示された状態で前記スクロールを一旦停止させることを特徴とする表示制御装置。
【請求項２】
前記スクロール制御手段は、前記スクロールを一旦停止させた後、前記スクロールを再開させることを特徴とする請求項１に記載の表示制御装置。
【請求項３】
前記スクロール制御手段は、前記所定の方向へのスクロールにおいて、前記所定の順序で並べられた複数の項目の先頭および最後尾のいずれか一方の項目が、前記一覧表示画面の端部に表示される場合、前記所定の方向と逆方向に規定量だけスクロールさせる跳ね返り処理を行うことを特徴とする請求項１または２に記載の表示制御装置。
【請求項４】
前記スクロール制御手段は、前記所定の方向へのスクロールにおいて、前記先頭および最後尾のいずれか一方の項目から前記他方の項目へスクロールさせる際に、前記先頭および最後尾のいずれか一方の項目と前記他方の項目との間に項目を表示させない非表示の領域を設けることを特徴とする請求項１ないし３のいずれか１項に記載の表示制御装置。
【請求項５】
前記所定の方向のスクロールとは、前記一覧表示画面に表示される項目の表示位置が、所定の方向に移動するスクロールであり、
前記スクロール制御手段は、前記所定先頭および最後尾のいずれか一方の項目が、前記一覧表示画面の前記所定の方向と逆方向側の端部に表示された場合、前記先頭および最後尾のいずれか一方の項目の後に、他方の項目を前記一覧表示画面の端部に表示されるようにスクロールさせることを特徴とする請求項１ないし４のいずれか１項に記載の表示制御装置。
【請求項６】
前記スクロール制御手段は、前記所定の順序で並べられた複数の項目の先頭および最後尾のいずれか一方の項目が、前記一覧表示画面の端部に表示された状態で、前記操作手段により前記所定の方向のスクロール指示があった場合に、前記先頭および最後尾のいずれか一方の項目の後に、他方の項目を前記一覧表示画面の端部に表示されるようにスクロールさせることを特徴とする請求項１ないし５のいずれか１項に記載の表示制御装置。
【請求項７】
前記スクロール制御手段は、前記先頭および最後尾のいずれか一方の項目の後に、他方の項目を前記一覧表示画面の端部に表示されるようにスクロールさせてから、前記他方の項目が前記一覧表示画面の端部に表示された状態で前記スクロールを一旦停止させた後に、前記操作手段により前記所定の方向へのスクロール指示があった場合に、前記スクロールを再開させることを特徴とする請求項１ないし６のいずれか１項に記載の表示制御装置。
【請求項８】
前記一覧表示画面では、前記複数の項目が複数の行および複数の列に並べられて表示され、
前記所定の方向へのスクロールは、行が移動する方向のスクロールであり、
前記スクロール制御手段は、前記所定の方向へスクロールにおいて、前記先頭および最後尾のいずれか一方の項目が含まれる行が、前記一覧表示画面の端部に表示された場合、前記先頭および最後尾のいずれか一方の項目が含まれる行の後に、他方の項目が含まれる行を前記一覧表示画面の端部に表示されるようにスクロールさせ、その後、当該他方の項目が含まれる行が前記一覧表示画面の端部に表示された状態で前記スクロールを一旦停止させることを特徴とする請求項１ないし７のいずれか１項に記載の表示制御装置。
【請求項９】
前記操作手段は、タッチパネルであることを特徴とする請求項１ないし８のいずれか１項に記載の表示制御装置。
【請求項１０】
前記操作手段は、十字ボタンであることを特徴とする請求項１ないし９のいずれか１項に記載の表示制御装置。
【請求項１１】
前記操作手段は、回転ホイールであることを特徴とする請求項１ないし９のいずれか１項に記載の表示制御装置。
【請求項１２】
前記複数の項目は、複数の画像であることを特徴とする請求項１ないし１１のいずれか１項に記載の表示制御装置。
【請求項１３】
スクロール指示を受け付ける第２の操作手段をさらに有し、
前記第２の操作手段によるスクロール指示の場合、前記スクロール制御手段は、前記所定の方向へのスクロールにおいて、前記所定の順序で並べられた複数の項目の先頭および最後尾のいずれか一方の項目が、前記一覧表示画面の端部に表示された場合、前記所定の方向へのスクロールを停止させることを特徴とする請求項１ないし１２に記載の表示制御装置。
【請求項１４】
複数の項目を所定の順序で並べることによって一覧表示画面に一覧表示する表示手段と、ユーザによる前記一覧表示画面のスクロール指示を受け付ける操作手段と、を有する装置における表示制御方法であって、
前記操作手段によるスクロール指示に応じて、前記一覧表示画面をスクロールさせるスクロール制御手段工程を有し、
前記スクロール制御工程では、所定の方向へのスクロールにおいて、前記所定の順序で並べられた複数の項目の先頭および最後尾のいずれか一方の項目が、前記一覧表示画面の端部に表示された場合、前記先頭および最後尾のいずれか一方の項目の後に、他方の項目を前記一覧表示画面の端部に表示されるようにスクロールさせ、その後、当該他方の項目が前記一覧表示画面の端部に表示された状態で前記スクロールを一旦停止させることを特徴とする表示制御方法。
【請求項１５】
コンピュータを、請求項１ないし１３のいずれか１項に記載の表示制御装置の各手段として機能させるためのプログラム。
【請求項１６】
コンピュータを、請求項１ないし１３のいずれか１項に記載の表示制御装置の各手段として機能させるためのプログラムを記憶したコンピュータによる読み取りが可能な記憶媒体。
【手続補正２】
【補正対象書類名】明細書
【補正対象項目名】０００７
【補正方法】変更
【補正の内容】
【０００７】
上記課題を解決し、目的を達成するために、本発明の表示制御装置は、複数の項目を所定の順序で並べることによって一覧表示画面に一覧表示する表示手段と、ユーザによる前記一覧表示画面のスクロール指示を受け付ける操作手段と、前記操作手段によるスクロール指示に応じて、前記一覧表示画面をスクロールさせるスクロール制御手段と、を有し、前記スクロール制御手段は、所定の方向へのスクロールにおいて、前記所定の順序で並べられた複数の項目の先頭および最後尾のいずれか一方の項目が、前記一覧表示画面の端部に表示された場合、前記先頭および最後尾のいずれか一方の項目の後に、他方の項目を前記一覧表示画面の端部に表示されるようにスクロールさせ、その後、当該他方の項目が前記一覧表示画面の端部に表示された状態で前記スクロールを一旦停止させる。
【手続補正３】
【補正対象書類名】図面
【補正対象項目名】図７
【補正方法】変更
【補正の内容】
【図７】
2012027797.tif 000001